(57)【要約】【課題】局部に対するノズルの位置合わせを正確に行うことのできる洗浄便座装置及び、洗浄便座付ポータブルトイレ装置を提供することを目的とする。【解決手段】温水洗浄便座ユニット３は、温水洗浄便座本体部３１のノズルユニット４５に、ノズル５１を前後方向に移動させる前後移動手段５２とノズル５１を左右方向に移動させるためのラック６３とピニオン６４とからなる左右移動手段５３を備えているので、ノズル５１そのものが前後左右に移動でき、またノズル５１そのものの移動により、ノズルヘッド５５と使用者の局部との間の距離を一定にすることができる。【選択図】図７
2014001576.tif 000002
【特許請求の範囲】
【請求項１】
開口を有する便座と、
前記便座の後方に配置された本体部と、を備える洗浄便座装置であって、
前記本体部には、
局部を洗浄するための洗浄水を貯留するタンクと、
前記洗浄水を噴出する噴出孔が形成されたノズルを有するノズルユニットと、が配置されており、
前記ノズルユニットは、前記ノズルを前後方向に移動させる前後移動手段と、前記ノズルを左右方向に移動させるラックとピニオンからなる左右移動手段と、を備えていることを特徴とする洗浄便座装置。
【請求項２】
前記左右移動手段は、前記ノズルを前方へ移動させた状態での前記ノズルユニットの重心位置に移動ガイド機構を備えていることを特徴とする請求項１に記載の洗浄便座装置。
【請求項３】
前記移動ガイド機構は、ガイド軸と、前記ガイド軸を挿入する貫通孔と、からなり、
前記左右移動手段は、補助軸と、前記補助軸を挿入する貫通孔と、からなる補助ガイド機構を、備えていることを特徴とする請求項２に記載の洗浄便座装置。
【請求項４】
前記移動ガイド機構は、前記ラックと一体に設けられていることを特徴とする請求項２または３に記載の洗浄便座装置。
【請求項５】
前記移動ガイド機構の貫通孔は、真円形状であり、
前記補助ガイド機構の貫通孔は、水平方向に長い楕円形状であることを特徴とする請求項３に記載の洗浄便座装置。
【請求項６】
前記ラックと前記ピニオンは、前記移動ガイド機構と前記補助ガイド機構の間に位置することを特徴とする請求項３から５の何れか１項に記載の洗浄便座装置。
【請求項７】
開口を有する便座と、前記便座の後方に配置された本体部と、を備え、前記本体部には局部を洗浄するための洗浄水を貯留するタンクと、前記洗浄水を噴出する噴出孔が形成されたノズルを有するノズルユニットと、が配置されている洗浄便座ユニットと、
前記洗浄便座ユニットを保持するイス本体と、
前記タンクに水を供給する給水タンクと、
前記便座の下方に位置する汚水バケツと、を備えることを特徴とするポータブルトイレ装置であって、
前記ノズルユニットは、前記ノズルを前後方向に移動させる前後移動手段と、前記ノズルを左右方向に移動させるラックとピニオンからなる左右移動手段と、を備えていることを特徴とするポータブルトイレ装置。
【発明の詳細な説明】
【技術分野】
【０００１】
本発明は、局部を洗浄するための洗浄水を噴出して、便座に着座した使用者の局部を洗浄する洗浄便座装置及び洗浄便座付ポータブルトイレ装置に関する。
【背景技術】
【０００２】
近年、家庭内や公共施設に設置されている多くのトイレには、便座に着座した使用者の局部を、ノズルから噴出する洗浄水で洗浄する洗浄便座装置が取り付けられている。そして、多くの洗浄便座装置には、便座の中心線に沿ってノズルを前後方向に移動させることができる移動手段が備わっており、この前後方向への移動手段により、使用者がノズルの噴出位置と使用者の局部とを適正な位置にあわせることができるようになっている。
【０００３】
一方、使用者が便座に座った際、使用者の局部が便座の中心線上から外れている場合（中心線から左右方向にずれている場合）、ノズルの噴出位置を前後方向だけでなく左右方向にも調整できる洗浄便座装置は、使用者にとって体を移動させる必要がないので便利である。
【０００４】
特に、近年の高齢化に伴う要介護者の増加により、トイレまでの移動が困難な要介護者のために、ポータブルトイレ装置の需要も増えており、洗浄便座装置を取り付けたポータブルトイレ装置が市販されるようになっている。
【０００５】
要介護者用のポータブルトイレ装置の場合、要介護者が一度便座に座ってしまうと、要介護者は自分自身の力でノズルの適正な噴出位置へ移動することは現実には難しい。また、介護者が要介護者を適正な位置へ移動させることも、介護に慣れていないような場合もあるので、要介護者を移動させることは現実には難しいこともある。したがって、このような洗浄便座付ポータブルトイレ装置の場合、ノズルの噴出位置を前後方向に調整できるだけなく左右方向に調整できる洗浄便座装置は、使用者にとって非常に便利である。
【０００６】
このように、ノズルの噴出位置を左右方向にも調整できる洗浄便座装置として、特許文献１や特許文献２に記載されている洗浄便座装置が知られている。この特許文献１や特許文献２に記載されている洗浄便座装置は、洗浄用や乾燥用のノズルを前後方向へ駆動させる駆動手段だけでなく、ノズルを回転駆動させる駆動手段を備えることで、ノズルの噴出位置を左右方向へも調整できるようになっている。
【先行技術文献】
【特許文献】
【０００７】
【特許文献１】特開２０１０−１２７０２４号公報
【特許文献２】特開２０１１−７４５７５号公報
【発明の概要】
【発明が解決しようとする課題】
【０００８】
しかしながら、ノズルの噴出位置の左右方向への調整に関して、特許文献１、特許文献２（第１の実施形態）に記載されている洗浄便座装置は、ノズルそのものが左右へ移動することはなく、ノズルの先端に設けられている噴出口が回転する構成である。この構成だと、噴出口の角度によって局部までの距離や局部に対する噴出角度が変化してしまい、また、局部に対する位置合わせが難しい。
【０００９】
また、特許文献２の第２の実施形態に記載されている洗浄便座装置は、ノズル全体が移動することはなく、ノズルの後端を固定しておき、ノズルの先端側を揺動する構成である。この構成であっても、局部に対する正確な位置合わせが難しい。
【００１０】
そこで、本発明は上記問題を解決することを課題とし、局部に対するノズルの位置合わせを正確に行うことのできる洗浄便座装置及び、洗浄便座付ポータブルトイレ装置を提供することを目的とする。
【課題を解決するための手段】
【００１１】
前記課題を解決するため、本発明の第１の態様は、開口を有する便座と、前記便座の後方に配置された本体部と、を備える洗浄便座装置であって、前記本体部には、局部を洗浄するための洗浄水を貯留するタンクと、前記洗浄水を噴出する噴出孔が形成されたノズルを有するノズルユニットと、が配置されており、前記ノズルユニットは、前記ノズルを前後方向に移動させる前後移動手段と、前記ノズルを左右方向に移動させるラックとピニオンからなる左右移動手段と、を備えていることを特徴とする。
【００１２】
本発明の第１の態様によれば、ノズルユニットは、ノズルを前後方向に移動させる前後移動手段を備えており、更には、ノズルを左右方向に移動させるためのラックとピニオンとからなる左右移動手段を備えて構成されている。したがって、ノズルユニットは、ノズルそのものが前後方向に移動できるだけなく、左右方向にも移動できるので、使用者の着座位置にあわせて、ノズルを正確に位置合わせすることができる。また、ノズルユニットは、ノズルそのものを前後左右に移動させるので、ノズルと使用者の局部との距離を一定にすることができる。
【００１３】
また、本発明の第２の態様は、第１の態様に係る洗浄便座装置であって、前記左右移動手段は、前記ノズルを前方へ移動させた状態での前記ノズルユニットの重心位置に移動ガイド機構を備えていることを特徴とする。
【００１４】
本発明の第２の態様によれば、洗浄便座装置は、ノズルを前方に移動させた状態のノズルユニットの重心位置に移動ガイド機構が設けられているので、ノズルが左右方向に移動する際の振動を抑えることができる。また、洗浄便座装置は、重心位置に移動ガイド機構があることで、ノズルが前後左右に移動する際や、ノズルから洗浄水を噴出する際にノズルの位置を安定させることができる。
【００１５】
また、本発明の第３の態様は、第２の態様に係る洗浄便座装置であって、前記移動ガイド機構は、ガイド軸と、前記ガイド軸を挿入する貫通孔と、からなり、前記左右移動手段は、補助軸と、前記補助軸を挿入する貫通孔と、からなる補助ガイド機構を、備えていることを特徴とする。
【００１６】
本発明の第３の態様によれば、洗浄便座装置は、ガイド軸と補助軸を用いてノズルは軸移動するので、移動の際や噴出の際の振動をより一層防止する事ができる。
【００１７】
また、本発明の第４の態様は、第２また３の態様に係る洗浄便座装置であって、前記移動ガイド機構は、前記ラックと一体に設けられていることを特徴とする。
【００１８】
本発明の第４の態様によれば、洗浄便座装置は、移動ガイド機構とラックとが一体になっているので、左右方向へ移動する際の振動を防止する事ができる。
【００１９】
また、本発明の第５の態様は、第３の態様に係る洗浄便座装置であって、前記移動ガイド機構の貫通孔は、真円形状であり、前記補助ガイド機構の貫通孔は、水平方向に長い楕円形状であることを特徴とする。
【００２０】
本発明の第５の態様によれば、洗浄便座装置は、左右移動手段を容易に組み立てることができる。
【００２１】
また、本発明の第６の態様は、第３から５の何れかの態様に係る洗浄便座装置であって、前記ラックと前記ピニオンは、前記移動ガイド機構と前記補助ガイド機構の間に位置することを特徴とする。
【００２２】
本発明の第６の態様によれば、洗浄便座装置は内部のスペースを有効に活用できる。
【００２３】
また、本発明の第７の態様は、開口を有する便座と、前記便座の後方に配置された本体部と、を備え、前記本体部には局部を洗浄するための洗浄水を貯留するタンクと、前記洗浄水を噴出する噴出孔が形成されたノズルを有するノズルユニットと、が配置されている洗浄便座ユニットと、前記洗浄便座ユニットを保持するイス本体と、前記タンクに水を供給する給水タンクと、前記便座の下方に位置する汚水バケツと、を備えることを特徴とするポータブルトイレ装置であって、前記ノズルユニットは、前記ノズルを前後方向に移動させる前後移動手段と、前記ノズルを左右方向に移動させるラックとピニオンからなる左右移動手段と、を備えていることを特徴とする。
【００２４】
本発明の第７の態様によれば、ポータブルトイレ装置は、使用者の着座位置を直すことが困難な場合であっても、ノズルと使用者の局部との位置を正確に修正することができ、また、ノズルと使用者の局部との距離を一定にすることができる。そして、このようなポータブルトイレ装置は特に介護用として好適である。
【図面の簡単な説明】
【００２５】
【図１】本発明の実施形態に係る温水洗浄便座付ポータブルトイレ装置１の正面斜視図である。
【図２】本発明の実施形態に係る温水洗浄便座付ポータブルトイレ装置１の背面斜視図である。
【図３】本発明の実施形態に係る温水洗浄便座ユニット３の正面斜視図である。
【図４】本発明の実施形態に係る温水洗浄便座本体部３１の外側を覆う外装カバー３１ａを外した内部構造の正面斜視図である。
【図５】本発明の実施形態に係る温水洗浄便座付ポータブルトイレ装置１における水の流れを示した概念図である。
【図６】本発明の実施形態に係るノズルユニット４５の側面図であり、（ａ）はノズル５１が後方に後退した状態の側面図であり、（ｂ）はノズル５１が前方に進出した状態の側面図である。
【図７】本発明の実施形態に係るノズルユニット４５の後方斜視図である。
【図８】本発明の実施形態に係るノズルユニット固定台６６の上部における断面図である。
【図９】本発明の実施形態に係るラック６３とピニオン６４の周辺の拡大側面図である。
【発明を実施するための形態】
【００２６】
以下、本発明の実施形態を、図面を用いて詳細に説明する。但し、以下に示す実施形態は、本発明の技術的思想を具体化するための洗浄便座装置及び洗浄便座付ポータブルトイレ装置を例示するものであって、本発明をこの洗浄便座装置及び洗浄便座付ポータブルトイレ装置に特定することを意図するものではない。本発明は特許請求の範囲に含まれるその他の実施形態のものにも適応し得るものである。
【００２７】
図１は本発明の実施形態に係る温水洗浄便座付ポータブルトイレ装置１の正面斜視図であり、図２は温水洗浄便座付ポータブルトイレ装置１の背面斜視図である。本実施形態に係る温水洗浄便座付ポータブルトイレ装置１は、イス本体２と、温水洗浄便座ユニット３と、汚水バケツ４と、給水タンク５と、を備えて構成されている。
【００２８】
イス本体２は、脚部を兼ねる左支持部２１と、脚部を兼ねる右支持部２２と、左支持部２１と右支持部２２との間で固定されている背もたれ２３と、で構成されている。また、イス本体２は、このイス本体２における座部を、後述の温水洗浄便座ユニット３を構成する便座部３２により構成されている。なお、イス本体２は、左支持部２１と右支持部とに、使用者が着座した際に、使用者の肘が位置するあたりに肘掛を備える等、他の構成を備えていても構わない。
【００２９】
温水洗浄便座ユニット３は、詳細を後述するが、イス本体２の左支持部２１と右支持部２２との間で保持されており、温水洗浄便座本体部３１と、温水洗浄便座本体部３１の前方に位置する便座部３２と、で構成されている。
【００３０】
汚水バケツ４は、便座部３２の下方において、左支持部２１と右支持部２２との間で保持されており、使用された後の洗浄水等を汚水として溜めておくような構成となっている。また、この汚水バケツ４は、イス本体２の前方側へスライド可能に取り付けられている。そして、汚水バケツ４内の汚水を廃棄する場合、イス本体２から汚水バケツ４を取り外し、この汚水バケツ４を廃棄場所へ持ち運んで汚水の廃棄が行われる。
【００３１】
給水タンク５は、図２に示すように、イス本体２の背面側で、温水洗浄便座本体部３１の下方において、左支持部２１と右支持部２２との間で保持されている。そして、この給水タンク５には、２つの給水口５ａ、５ｂが設けられている。この２つの給水口５ａ、５ｂは、それぞれキャップで覆われており、洗浄水として使用するための水を給水タンク５内へ注入する場合、一方のキャップを外して水を注入するような構成となっている。
【００３２】
温水洗浄便座付ポータブルトイレ装置１は、以上のような構成となっている。そして、温水洗浄便座付ポータブルトイレ装置１は、給水タンク５に注入された水を用いて、後述のノズル５１から洗浄水を噴出することにより、使用者の局部を洗浄し、この洗浄後の洗浄水を汚水バケツ４で受ける構成となっている。したがって、温水洗浄便座付ポータブルトイレ装置１は、一般的な温水洗浄便座付トイレ装置のように、洗浄水として使用する水を供給する上水道や、洗浄後の洗浄水を流す下水道との接続を必要としない。そして、このような温水洗浄便座付ポータブルトイレ装置１は、例えば、トイレまでの移動が困難な要介護者のベッドの近くにおいて使用することで、介護用のトイレ装置として利用することができる。また、温水洗浄便座付ポータブルトイレ装置１は、例えば、地震等の災害による上下水道が不通のような状況で使用することで、緊急用のトイレ装置として利用することができる。
【００３３】
次に、温水洗浄便座付ポータブルトイレ装置１を構成する温水洗浄便座ユニット３の詳細について説明する。図３は、温水洗浄便座ユニット３の正面斜視図である。温水洗浄便座ユニット３は、後方に温水洗浄便座本体部３１を備え、温水洗浄便座本体部３１の前方に便座部３２を連結する構成となっている。なお、温水洗浄便座本体部３１については詳細を後述する。
【００３４】
便座部３２は、開口３２ａを備えた樹脂製の環状部３２ｂで構成されている。そして、この環状部３２ｂに使用者が着座して温水洗浄便座付ポータブルトイレ装置１は使用される。
【００３５】
また、便座部３２は、環状部３２ｂの後部が軸支部３２ｃで支持されており、軸支部３２ｃを介して回動できるようになっている。更に、便座部３２は、環状部３２ｂの内部に図示しない便座ヒータが備わっており、この便座ヒータの発熱によって、環状部３２ｂが加温される構成となっている。
【００３６】
なお、図示していないが、便座部３２を覆う便座蓋を温水洗浄便座付ポータブルトイレ装置１は備えている。また、便座部３２の形状は、所謂Ｏ字形状の環状部３２ｂに開口３２ａを備えるものに限定されるものではなく、所謂Ｕ字形状のものに開口３２ａを備えるものでも構わない。
【００３７】
次に、温水洗浄便座本体部３１の詳細について説明する。図３に示すように、温水洗浄便座本体部３１は、外側を樹脂製の外装カバー３１ａによって覆われている。この外装カバー３１ａには、各種のスイッチからなる本体操作部３３が設けられている。
【００３８】
本体操作部３３を構成する各種のスイッチには、洗浄水の温度設定を行うためのスイッチや、局部の洗浄の開始・停止を行うスイッチや、後述する洗浄ノズルの位置を調整するためのスイッチ等が設けられており、これらスイッチを操作した信号が制御基板へ入力される。なお、温水洗浄便座付ポータブル装置１は、外装カバー３１ａに設けられた本体操作部３３の他に、温水洗浄便座本体部３１と有線或いは無線により接続可能なリモコン用の操作部を備える構成となっていても構わない。また、温水洗浄便座本体部３１の内部には、商用電源を供給するための電源コード３４が接続されており、外装カバー３１ａにはこの電源コード３４を通すための孔が設けられている。そして、外装カバー３１ａの側面には、脱臭カセット３５の一部が露出している。
【００３９】
次に、温水洗浄便座本体部３１の内部構造の説明を行う。図４は、温水洗浄便座本体部３１の外側を覆う外装カバー３１ａを外した、温水洗浄便座の内部構造の正面斜視図である。
【００４０】
温水洗浄便座本体部３１は、内部に給水ポンプ４１と、制御基板ユニット４２と、温水タンク４３と、温風乾燥ユニット４４と、ノズルユニット４５と、脱臭ユニット４６と、を備えている。
【００４１】
給水ポンプ４１は、給水タンク５の水を温水タンク４３に供給するためのものである。この給水ポンプ４１は、定量式電磁ポンプやギヤポンプ等、各種のポンプを用いることができる。
【００４２】
ここで、温水洗浄便座付ポータブルトイレ装置１における水の流れについて説明する。図５は、温水洗浄便座付ポータブルトイレ装置１における水の流れを示した概念図である。給水タンク５に注入された洗浄用の水は、給水ポンプ４１によって汲み上げられ、給水ポンプ４１を通過し、図４においては図示していない逆止弁４８を通過して、温水タンク４３へと供給される。そして温水タンク４３において洗浄水は加温され、ノズルユニット４５へと水圧により供給されて、ノズルユニット４５のノズル先端の噴出孔から噴出され、使用者の局部を洗浄することになる。
【００４３】
なお、図５に示す逆止弁４８は、温水タンク４３の水が給水タンク５側へ逆流するのを防止するためのものである。逆止弁４８は、図４においては図示していないが、例えば制御基板ユニット４２の背面側に配置されている。
【００４４】
制御基板ユニット４２は、ＣＰＵやメモリ等が備わった制御基板４２ａを備えており、制御基板４２ａと各種の構成部との間を有線・無線によって接続している。そして、制御基板ユニット４２は、本体操作部３３を介して行われた使用者の操作等に基づいて、所定各種の構成部の動作をプログラムに従って行う。
【００４５】
温水タンク４３は、樹脂製の箱状部材からなる。温水タンク４３は、給水ポンプ４１とチューブ（図示せず）を介してつながっており、また、ノズルユニット４５とチューブ（図示せず）を介してつながっている。
【００４６】
温水タンク４３には、給水ポンプ４１によって給水された洗浄水の水量（水位）を検出するフロートスイッチ４３ａが取り付けられている。また、温水タンク４３には、内部の水を加熱するための温水用ヒータ（図示せず）が取り付けられている。また、加熱された洗浄水の温度を検出する温度検出センサ（図示せず）が取り付けられている。また、温水タンク４３には、上部に負圧弁４３ｂが設けられており、温水タンクを４３の内部圧力が外気圧よりも低くなったときに、この負圧弁４３ｂは温水タンク４３と外気とをパイプ４３ｃを介して連通させる。
【００４７】
温風乾燥ユニット４４は、温風用ヒータ（図示せず）と、乾燥ファン４４ａと、ファンケース４４ｂと、を備えて構成されている。そして、使用者が、本体操作部３３の温風乾燥開始スイッチを操作することで、温風用ヒータと乾燥ファン４４ａが動作を開始し、ファンケース４４ｂを介して、使用者の局部周辺に温風を送る。
【００４８】
ノズルユニット４５は、温水タンク４３から供給された温水を洗浄水として噴出し、使用者の局部を洗浄するものである。なお、ノズルユニット４５については、詳細を後述する。
【００４９】
脱臭ユニット４６は、脱臭カセット３５と、脱臭ファン４６ａと、ファンケース４６ｂと、脱臭フィルタ４７と、を備えて構成されている。脱臭ファン４６ａは、使用者が便座部３２に着座すると動作し、脱臭フィルタ４７を介して、汚水バケツ４の空気をファンケース４６ｂへ吸い込む。そして、脱臭ファン４６ａによって吸い込まれた空気は、脱臭カセット３５を通じて臭い成分を吸着・分解等して、外部へ排気される。
【００５０】
次に、ノズルユニット４５の詳細について説明する。図６はノズルユニット４５の側面図であり、図６（ａ）はノズルユニット４５を構成するノズル５１が後方に後退した状態の側面図であり、図６（ｂ）はノズルユニット４５を構成するノズル５１が前方に進出した状態の側面図である。図７はノズルユニット４５の各構成を分解して示す後方斜視図である。図８はノズルユニット固定台６６の上部における断面図である。図９はラック６３とピニオン６４の周辺の拡大側面図である。
【００５１】
ノズルユニット４５は、ノズル５１と、ノズル５１を前後方向に移動させるための前後移動手段５２と、ノズル５１を左右方向に移動させるための左右移動手段５３と、を備えて構成されている。
【００５２】
ノズル５１は、樹脂製やステンレス製の筒状部材からなるノズル胴体５４と、ノズル胴体５４の先端に取り付けられたノズルヘッド５５と、ノズル胴体５４の後端に取り付けられた、おしり用ポート５６とビデ用ポート５７と、を備えて構成されている。
【００５３】
このノズル胴体５４の内部には、おしり用ポート５６につながるおしり用パイプ（図示せず）と、ビデ用ポート５７につながるビデ用パイプ（図示せず）とが並んで設けられている。そして、おしり用パイプはノズルヘッド５５の上面に設けられたおしり用噴出孔５８とつながっており、ビデ用パイプはノズルヘッド５５の上面に設けられたビデ用噴出孔５９とつながっている。
【００５４】
おしり用ポート５６には、おしり用チューブ（図示せず）が装着され、このおしり用チューブとおしり用ポート５６とノズル胴体５４内部のおしり用パイプによって、おしり用洗浄水路が形成される。
【００５５】
また、ビデ用ポート５７には、ビデ用チューブ（図示せず）が装着され、このビデ用チューブとビデ用ポート５７とノズル筐体５４内部のビデ用パイプによって、ビデ用洗浄水路が形成される。
【００５６】
そして、目的とする洗浄にあわせて、水路切換えユニット５０（図４に示す）によっておしり用洗浄水路とビデ用洗浄水路とが切り換えられ、温水タンク４３から供給された洗浄水は、水路切換えユニット５０によって、おしり用洗浄水路或いはビデ用洗浄水路へと流れて行く。
【００５７】
また、ノズル５１は、ノズル支持台６０の上に載置されており、洗浄時には図６（ｂ）に示すように、前後移動手段５２によってノズル支持台６０上を前方へ移動する。
【００５８】
このノズル支持台６０は、樹脂製の部材から形成されている。そして、ノズル支持台６０は、ノズル５１が載置される上面側が前方下側に向かって傾斜する傾斜面６１を備えている。この傾斜面６１の傾斜角度は、大体３０度乃至７０度の範囲で選定される。
【００５９】
また、ノズル支持台６０は、傾斜面６１の先端に、ノズルヘッド５５を覆うようなアーチ状のノズル洗浄室６２が設けられている。ノズル洗浄室６２は、ノズル５１が図６（ａ）の収納状態になると、例えば、おしり用噴出口５８から水を噴出し、その噴出した水を跳ね返らせることで、ノズルヘッド５５の洗浄を行う。
【００６０】
前後方向移動手段５２は、一般的な温水洗浄便座装置に従来から備わっているものであるため、どのような方法を用いても構わない。本実施形態においては、前後移動手段５２は、ノズル支持台６０に図７に示すモータ５２ａと、渦巻き状のスチールベルト５２ｂを設けて構成している。そして、スチールベルト５２ｂの一端をノズル５１に固定しておき、モータ５２ａを矢印Ａの方向に回転させると、スチールベルト５２ｂが傾斜面６１の上を滑るようにして前方に向かって導出される（ノズル５１が前方に移動する）。また、モータ５２ａを矢印Ｂの方向に回転させると、スチールベルト５２ｂが傾斜面６１の上を滑るように後方に向かいながら収納されていく（ノズル５１が後方に移動する）。
【００６１】
なお、前後移動手段５２は、モータ５２ａのような動力を用いることなく、水圧を利用してノズル５１を移動させる方法でも構わないが、本実施形態のようなモータ５２ａを用いる方法によれば、水圧によることなくノズル５１の正確な位置合わせを容易におこなうことができる。また、前後移動手段５２は、本実施形態のようなモータ５２ａを用い、後述の補助ガイド機構８０上に配置しておくことにより、前後左右への移動時にモータ５２ａの重量によりノズルユニット４５の振動を防ぐことができ、また安定した洗浄水の噴出を行うことができる。
【００６２】
左右移動手段５３は、ノズル５１を左右方向に移動させるものである。また、本実施形態においては、左右移動手段５３は、ノズル５１だけでなく、ノズル５１を支持するノズル支持台６０も左右方向に移動させる。具体的には、左右移動手段５３は、ラック６３とピニオン６４とで構成されている。
【００６３】
ラック６３は、ノズル支持台６０の下方側に設けられており、歯が左右方向に平行に伸びている。ピニオン６４は、小型の歯車であり、ステッピングモータ６５によって回転力が加えられる。このステッピングモータ６５は、ノズル支持台６０の下方に位置するノズルユニット固定台６６に、固定部６７を介して固定されている。なお、ステッピングモータ６５の他に、ギヤードモータ等を用いても構わない。
【００６４】
そして、ステッピングモータ６５によってピニオン６４に回転力が加えられると、その回転がラック６３によってノズル支持台６０を左右方向へ移動させる力に変換され、ノズル支持台６０ごとノズル５１が左右方向へ移動する。
【００６５】
このステッピングモータ６５を収容するノズルユニット固定台６６は、樹脂成型品からなるものであり、４箇所の取付部６８を介して、ノズルユニット４５を温水洗浄便座本体部３１に固定するものである。
【００６６】
また、本実施形態においては、左右移動手段５３は、更に移動ガイド機構７０と補助ガイド機構８０と、を備えている。具体的には、移動ガイド機構７０は、ガイド軸７１と、ノズル支持台６０に設けられた支持台貫通孔７２と、ノズルユニット固定台６６に設けられた固定台貫通孔７３と、軸止め輪７４と、を備えて構成されている。そして、ガイド軸７１を支持台貫通孔７２と固定台貫通孔７３に挿入し、ガイド軸７１の端部に設けられている軸止め溝７１ａに軸止め輪７４を嵌合するとことで、ノズル支持台６０がガイド軸７１に沿って左右方向に移動可能になる。
【００６７】
なお、本実施形態においては、図８に示すように、ラック６３は、移動ガイド機構７０と近接して平行に設けられている。また、支持台貫通孔７２とラック６３とが一体になって設けられている。したがって、左右移動手段５３は、ノズルユニット４５が左右方向へ移動する際の振動を防ぐことができる。
【００６８】
この移動ガイド機構７０は、図６（ｂ）に示しているように、ノズル５１が前方に移動した状態（洗浄時の状態）で、ノズルユニット４５の重心位置よりも、少なくとも後方に位置するように設けられている。そして、本実施形態においては、移動ガイド機構７０は、ノズルユニット４５の重心Ｃ（図６（ｂ）に破線Ｃで示す位置）の真下に位置するように設けられている。
【００６９】
したがって、移動ガイド機構７０がノズルユニット４５の重心Ｃの下方に位置することで、ノズル５１を前方へ移動させる際のノズルユニット４５の振動を低減することができる。また、ノズル５１は斜め下方向に移動して、ノズルヘッド５５の上面側から洗浄水を噴出するため、洗浄水の噴出時ノズルヘッド５５側は下方向に大きな力が加わるが、移動ガイド機構７０がノズルユニット４５の重心Ｃの下方に位置することで、ノズルユニット４５を安定して支えることができる。
【００７０】
補助ガイド機構８０は、補助軸８１と、ノズル支持台６０に設けられた補助軸８１用の支持台貫通孔８２と、ノズルユニット固定台６６に設けられた補助軸８１用の固定台貫通孔８３と、軸止め輪８４と、を備えて構成されている。補助軸８１を支持台貫通孔８２と固定台貫通孔８３に挿入し、補助軸８１の端部に設けられている軸止め溝８１ａに軸止め輪７６を嵌合するとことで、ノズル支持台６０が補助軸８１に沿って左右方向に移動可能になる。
【００７１】
この補助ガイド機構８０は、ノズル支持台６０が左右方向への移動する時や、ノズル５１が前方向や後方向へ移動する時に、ガイド軸７１を中心にノズルユニット４５に加わる力による振動を防止するためのものである。したがって、補助ガイド機構８０によって、温水洗浄便座ユニット３はノズルユニット４５の移動が安定し、使用者の局部に対する正確な位置合わせを行うことができる。
【００７２】
なお、補助ガイド機構８０は上記の構成に限られるものではなく、例えば補助軸８１を用いないで、ノズル支持台６０とノズルユニット固定台６６とがフック形状により係合するような構造でも構わない。
【００７３】
また、本実施形態においては、ラック６３とピニオン６４とステッピングモータ６５は、移動ガイド機構７０と補助ガイド機構８０の間に位置して形成されている。
【００７４】
ラック６３とピニオン６４とステッピングモータ６５が、移動ガイド機構７０よりも前方に位置する場合、ノズル５１の傾斜角度を大きくしようとすると、ノズル５１とノズルユニット固定台６６との距離（図６（ｂ）の符号Ｄの距離）が狭くなり、ラック６３やピニオン６４と、ノズル５１の干渉を考慮した設定が必要となり、また、温水洗浄便座本体部３１の底部を便座部３２側に大きくする必要があるが、本実施形態の温水洗浄便座ユニット３は、温水洗浄便座本体部３１のスペースを有効に利用できる。
【００７５】
また、ラック６３とピニオン６４とステッピングモータ６５が、補助ガイド機構８０よりも後方に位置する場合、ラック６３とピニオン６４とステッピングモータ６５の設置スペースだけ、ノズルユニット４５が大きくなってしまうが、本実施形態の温水洗浄便座ユニット３は、スペースを効率的に利用することができる。
【００７６】
また、本実施形態においては、図９に示しているように、ノズル支持台６０に設けられたガイド軸７１用の支持台貫通孔７２は、ガイド軸７１の径と略同様の径からなる真円形状となっており、ノズル支持台６０に設けられた補助軸８１用の支持台貫通孔８２は、前後方向に細長い楕円形状となっている。
【００７７】
したがって、ノズルユニット４５は、ガイド軸７１上を振動なく移動できる。また、支持台貫通孔８２が細長い楕円形状なので、補助軸８１と支持台貫通孔８２との間に隙間が生じるため、ノズルユニット４５は容易に組み立てられる。また、支持台貫通孔８２は、前後方向に細長い楕円形状なので、ガイド軸７１を中心にノズルユニット４５に回転力が加わっても、この回転力による補助軸８１側での振動を防ぐことができる。
【００７８】
上記のように、本実施形態における温水洗浄便座ユニット３は、温水洗浄便座本体部３１のノズルユニット４５に、ノズル５１を前後方向に移動させる前後移動手段５２を備えており、更には、ノズル５１を左右方向に移動させるためのラック６３とピニオン６４とからなる左右移動手段５３を備えて構成されている。
【００７９】
したがって、温水洗浄便座ユニット３は、ノズル５１そのものが前後方向に移動できるだけなく、左右方向にも移動できるので、使用者の着座位置がずれていたとしても、ノズル５１そのものを前後左右へ移動させることにより、ノズルヘッド５５と使用者の局部との間の距離を一定にすることができる。
【００８０】
特に、この温水洗浄便座ユニット３を備える温水洗浄便座付ポータブルトイレ装置１を介護用として用いた場合、温水洗浄便座ユニット３は、要介護者及び介護者に負担をかけることなく、要介護者の局部とノズル５１との位置合わせを簡単に行うことができる。また、介護用のポータブルトイレ装置の場合、着座した後で要介護者を移動させるのは非常に困難であるため、温水洗浄便座付ポータブルトイレ装置１は、通常よりもノズル５１を大型化し、移動可能な範囲を広くすることも考えられる。本実施形態によれば、温水洗浄便座付ポータブルトイレ装置１は、ノズル５１を大型化することにより、移動時や洗浄水噴出時にノズル５１を振動させる力が大きくなったとしても、振動を効果的に防ぐことができる。
【００８１】
なお、本実施形態においては、ノズル５１へ洗浄水を供給する温水タンク４３は、内部に温水用ヒータを備え、洗浄水の加熱を行うことが可能なものである。しかしながら、温水タンク４３は、温水用ヒータのような加熱手段を備えていない単なる貯留するタンクであっても構わない。
【００８２】
また、本実施形態においては、温水洗浄便座ユニット３を備える温水洗浄便座付ポータブルトイレ装置１について説明を行ったが、一般的な上下水道とつながっているトイレ装置の便座に取り付けられた温水洗浄便座装置であっても、本発明は適用できる。
【符号の説明】
【００８３】
１…温水洗浄便座付ポータブルトイレ装置１
２…イス本体
３…温水洗浄便座ユニット
４…汚水バケツ
５…給水タンク
３１…温水洗浄便座本体部
３２…便座部
４３…温水タンク
４５…ノズルユニット
５１…ノズル
５２…前後移動手段
５３…左右移動手段
５４…ノズル胴体
５５…ノズルヘッド
６０…ノズル支持台
６３…ラック
６４…ピニオン
６５…ノズルユニット固定台
７０…移動ガイド機構
７１…ガイド軸
７２、８２…支持台貫通孔
７３、８３…固定台貫通孔
８０…補助ガイド機構
８１…補助軸
【図１】
2014001576.tif 000003
【図２】
2014001576.tif 000004
【図３】
2014001576.tif 000005
【図４】
2014001576.tif 000006
【図５】
2014001576.tif 000007
【図６】
2014001576.tif 000008
【図７】
2014001576.tif 000009
【図８】
2014001576.tif 000010
【図９】
2014001576.tif 000011